(57)【要約】【課題】  ワイヤ状のリ−ド線を基板上に安定して固定させることが可能なプリント配線基板の提供を課題とする。【解決手段】  ２つの係止爪４５ａ、４５ｂが、それぞれ対向する内側縁４１ａ、４１ｂに残存するように形成されたリ−ド線係止孔４０がメイン基板１０に形成され、メイン基板１０の基板面上を這うように配置されるワイヤ状の２本のリ−ド線１５が、この２つの係止爪４５ａ、４５ｂの裏面側に当接するように係止されることにより、リ−ド線１５の位置を安定させて固定させることが可能となる。【選択図】  図２
2006332369.tif 000002
【特許請求の範囲】
【請求項１】
受信したテレビジョン放送電波に基づくテレビ映像を表示するテレビジョン受信装置におけるメイン基板に適用されるものであり、リ−ド線の固定位置を示すシルク印刷が施されるとともに、３以上の係止爪がそれぞれ対向する内側縁に残存するように形成されたリ−ド線係止孔が、基板の縁部に開口しないように形成されたプリント配線基板において、
上記３以上の係止爪は、その延長線が交わることなく略平行となるように形成されており、
上記係止爪の先端部の裏側には、半田溜りが形成されており、さらに、
上記係止爪におけるリ−ド線の係止部分に凹部が形成されるか、または、同係止爪におけるリ−ド線の係止部分よりも同係止爪先端側に凸部が形成されていることを特徴とするプリント配線基板。
【請求項２】
リ−ド線の固定位置を示すシルク印刷が施されるとともに、複数の係止爪がそれぞれ対向する内側縁に残存するように形成されたリ−ド線係止孔が、基板の縁部に開口しないように形成されたプリント配線基板において、
上記複数の係止爪は、その延長線が交わることなく略平行となるように形成されていることを特徴とするプリント配線基板。
【請求項３】
上記複数の係止爪は、リ−ド線が水平方向斜めに傾斜した状態で係止されるように形成されていることを特徴とする請求項２に記載のプリント配線基板。
【請求項４】
上記係止爪の先端部の裏側には、半田溜りが形成されていることを特徴とする請求項２または請求項３に記載のプリント配線基板。
【請求項５】
上記係止爪におけるリ−ド線の係止部分には、凹部が形成されていることを特徴とする請求項２〜４のいずれかに記載のプリント配線基板。
【請求項６】
上記係止爪におけるリ−ド線の係止部分よりも同係止爪先端側には、凸部が形成されていることを特徴とする請求項２〜４のいずれかに記載のプリント配線基板。
【請求項７】
上記係止爪が３以上形成されていることを特徴とする請求項２〜６のいずれかに記載のプリント配線基板。
【請求項８】
受信したテレビジョン放送電波に基づくテレビ映像を表示するテレビジョン受信装置に適用されるメイン基板であり、
上記メイン基板上に載置される第一のサブ基板と、同メイン基板と離間して設置されるサブ基板とを接続するリ−ド線が固定される位置に上記リ−ド線係止孔が形成されていることを特徴とするプリント配線基板。
【発明の詳細な説明】
【技術分野】
【０００１】
本発明は、種々の電気機器に用いられるプリント配線基板に関し、特に、同プリント配線基板上にリ−ド線が固定されるプリント配線基板に関するものである。
【背景技術】
【０００２】
従来、プリント配線基板上の配置部品の実装位置を示すために同基板上にシルク印刷を施すようにする技術が知られている（例えば、特許文献１参照）。この特許文献１の技術を応用すれば、プリント配線基板上に這わせるリ−ド線の固定位置を上記シルク印刷により示しておくことも可能である。
【０００３】
上記シルク印刷により示されたリ−ド線の固定位置に沿ってリ−ド線を固定するにあたり、従来、印刷部分に沿ってリ−ド線を這わせるとともに、同リ−ド線をテ−プにより基板上に固定するようにしていた。
このようなテ−プを用いた固定方法では、組立作業者により固定作業が行われる場合には、固定位置のばらつきが生じてしまい、これに起因してＥＭＩ（ＥｌｅｃｔｒｏＭａｇｎｅｔｉｃ Ｉｎｔｅｒｆｅｒｅｎｃｅ）のばらつきが発生してしまうという問題がある。また、固定用のテ−プを多く用いるため、製造コストも大きくなる。
【０００４】
このような問題を解決するため、リ−ド線を固定するための係止爪が形成されたリ−ド線係止孔が形成されたプリント配線基板が知られている（例えば、特許文献２、３参照）。このようなプリント配線基板では、リ−ド線の固定位置を安定させることができるとともに、固定用テ−プを削減することが可能となる。
【特許文献１】特開平０５−１２１８４９号公報
【特許文献２】実開昭５８−４４８６６号公報
【特許文献３】特開平０８−２３６８７５号公報
【発明の開示】
【発明が解決しようとする課題】
【０００５】
しかしながら、上述した特許文献２に記載のプリント配線基板では、１対の係止爪が対向するように複数設けられているものであり、この特許文献２に記載のように、テ−プ状の配線を固定する場合には、同配線の位置を安定させることができるが、ワイヤ状のリ−ド線を用いる場合には、係止孔から離脱し易いという問題がある。
また、上述した特許文献３に記載のプリント配線基板では、係止孔が基板の縁部に開口しているものであり、縁部以外の部分に上述した係止孔を形成する場合について考慮されておらず、また、係止爪が一つであるため、リ−ド線が脱落し易い。
【０００６】
本発明は、上記課題にかんがみてなされたものであり、ワイヤ状のリ−ド線を基板上に安定して固定させることが可能なプリント配線基板を提供することを目的とする。
【課題を解決するための手段】
【０００７】
上記目的を達成するため、請求項２にかかる発明は、リ−ド線の固定位置を示すシルク印刷が施されるとともに、複数の係止爪がそれぞれ対向する内側縁に残存するように形成されたリ−ド線係止孔が、基板の縁部に開口しないように形成されたプリント配線基板において、
上記複数の係止爪は、その延長線が交わることなる略平行となるように形成されている構成としてある。
【０００８】
上記のように構成した請求項２にかかる発明において、プリント配線基板は、リ−ド線の固定位置を示すシルク印刷が施されるとともに、複数の係止爪がそれぞれ対向する内側縁に残存するように形成されたリ−ド線係止孔が、基板の縁部に開口しないように形成されている。すなわち、プリント配線基板に形成されたリ−ド線係止孔における対向する縁部には、それぞれ複数の係止爪が残存するように形成されている。例えば、対向する両縁部に１つずつ係止爪が形成されていてもよいし、一方の縁部に１つ、他方の縁部に２つの係止爪が形成されていてもよい。
【０００９】
そして、プリント配線基板に形成されたリ−ド線係止孔の縁部に形成された係止爪は、その延長線が交わることなく略平行となるように形成されている。すなわち、複数の係止爪の各々が対向することなく、互い違いとなるように形成されているのである。このように構成することにより、このリ−ド線係止孔にリ−ド線を係止させたときに、離脱しにくくなり、リ−ド線の固定位置を安定させることが可能となる。
【００１０】
また、請求項３にかかる発明は、上記複数の係止爪が、リ−ド線が水平方向斜めに傾斜した状態で係止されるように形成されている構成としてある。
上記のように構成した請求項３において、リ−ド線が這う方向に対して係止爪が斜めに位置するようにリ−ド線係止孔が形成されているため、係止爪にリ−ド線を深く係止させることが可能となる。
【００１１】
また、請求項４にかかる発明は、上記係止爪の先端部の裏側には、半田溜りが形成されている構成としてある。
上記のように構成した請求項４にかかる発明において、係止爪の先端部裏側に形成された半田溜りにより、リ−ド線係止孔にリ−ド線が係止された状態で同リ−ド線が左右に動いた場合であっても、半田溜りに引っ掛かるため、リ−ド線のリ−ド線係止孔からの離脱を防止することか可能となる。
【００１２】
また、請求項５にかかる発明は、上記係止爪におけるリ−ド線の係止部分には、凹部が形成されている構成としてある。
上記のように構成した請求項５にかかる発明において、凹部にリ−ド線が引っ掛かる構成とすることにより、固定されたリ−ド線に対して力が加わっても、同凹部に引っ掛かった状態で離脱することがない。そのため、リ−ド線の固定位置をより安定させることが可能となる。
【００１３】
また、請求項６にかかる発明は、上記係止爪におけるリ−ド線の係止部分よりも同係止爪先端側には、凸部が形成されている構成としてある。
上記のように構成した請求項６にかかる発明において、係止されたリ−ド線に、係止爪から離脱する方向に力が加わっても、先端側に形成された凸部に引っ掛かるため、リ−ド線が離脱することがない。そのため、リ−ド線の固定位置をより安定させることが可能となる。
【００１４】
また、請求項７にかかる発明は、上記係止爪が３以上形成されている構成としてある。
上記のように構成した請求項７にかかる発明において、リ−ド線係止孔に形成される係止爪を３以上とすることにより、よりリ−ド線の固定位置を安定させることが可能となる。
【００１５】
また、請求項８にかかる発明は、プリント配線基板が、受信したテレビジョン放送電波に基づくテレビ映像を表示するテレビジョン受信装置に適用されるメイン基板であり、
上記メイン基板上に載置される第一のサブ基板と、同メイン基板と離間して設置されるサブ基板とを接続するリ−ド線が固定される位置に上記リ−ド線係止孔が形成されている構成としてある。
上記のように構成した請求項８にかかる発明において、テレビジョン受信装置が具備するメイン基板上に固定されるリ−ド線の固定位置を安定させることにより、ＥＭＩを安定させることが可能となる。
【発明の効果】
【００１６】
以上説明したように請求項２にかかる発明によれば、リ−ド線の固定位置を安定させることが可能となる。
また、請求項３にかかる発明によれば、係止爪にリ−ド線を深く係止させることが可能となる。
さらに、請求項４にかかる発明によれば、リ−ド線のリ−ド線係止孔からの離脱を防止することか可能となる。
さらに、請求項５にかかる発明によれば、リ−ド線の固定位置をより安定させることが可能となる。
さらに、請求項６にかかる発明によれば、リ−ド線の固定位置をより安定させることが可能となる。
さらに、請求項７にかかる発明によれば、リ−ド線の固定位置をより安定させることが可能となる。
さらに、請求項８にかかる発明によれは、テレビジョン受信装置が具備するメイン基板上に固定されるリ−ド線の固定位置を安定させることにより、ＥＭＩを安定させることが可能となる。
【発明を実施するための最良の形態】
【００１７】
以下、下記の順序に従って本発明の実施形態を説明する。
（１）第一の実施形態：
（２）第二の実施形態：
（３）各種変形例：
（４）まとめ：
【００１８】
（１）第一の実施形態：
以下、図面に基づいて本発明の実施形態を説明する。
図１は、第一の実施形態にかかるプリント配線基板の外観平面図である。なお、以下の実施形態においては、本発明のプリント配線基板を、テレビジョン受信装置のメイン基板に適用する場合について説明するが、本発明のプリント配線基板は、これに限定されるものではなく、種々の電気機器におけるメイン基板またはサブ基板に適用することが可能である。
【００１９】
同図において、チュ−ナ回路等のテレビ映像の表示にかかる各種の動作を実現するための各種の回路が配置される矩形板状のメイン基板１０が備えられ、このメイン基板１０の上側中央部分には、矩形板状の第一のサブ基板２０が載置されている。また、メイン基板１０の下端より若干離間した位置に、例えば、テレビのチャンネル操作等を検出するスイッチ回路が配置される矩形板状の第二のサブ基板３０が設置されている。
【００２０】
第一のサブ基板２０上に載置されたコネクタ２１と、第二のサブ基板３０とは、ワイヤ状の２本のリ−ド線１５により接続されている。この２本のリ−ド線１５は、メイン基板１０上を這うように固定されている。リ−ド線１５は、コネクタ２１から真下方向に一定距離だけ延びてテ−プ２２により固定され、その固定部分から、メイン基板１０の下側縁部の中央より左側位置まで延びてテ−プ２３により固定され、さらにその固定部分から、真下方向に折れ曲がり第二のサブ基板３０と接続されている。リ−ド線１５が斜めに這っている部分の中程には、リ−ド線１５を係止して、その配置位置を固定するためのリ−ド線係止孔４０が形成されている。このリ−ド線係止孔４０は、メイン基板１０の打抜加工により形成することが可能である。また、リ−ド線１５が斜めに配置されている部分には、シルク印刷が施された印刷部１８が形成されている。このような印刷部１８を形成することにより、組立作業者は、リ−ド線１５を這わせる位置を確認することが可能となる。
【００２１】
図２は、図１に示したメイン基板１０におけるリ−ド線係止孔４０が形成されている部分の拡大平面図であり、図３は、図２に示した部分の裏面図である。図２において、リ−ド線係止孔４０は、それぞれ対向する縁４１ａ、４１ｂにそれぞれ形成された係止爪４５ａ、４５ｂを有している。係止爪４５ａ、４５ｂは、それぞれ、縁４１ａ、４１ｂにおける異なった位置から内側に延びるように設けられており、これにより、係止爪４５ａ、４５ｂの延長線が交わることはない。概説すれば、係止爪４５ａと係止爪４５ｂとは、互い違いとなるように形成されている。また、係止爪４５ａと係止爪４５ｂは互いに平行となっている。
【００２２】
上述した２本のリ−ド線１５は、メイン基板１０の表面から、係止爪４５ａ、４５ｂの裏面側を潜って再度、メイン基板１０の表面上を這うように取り付けられている。そして、係止爪４５ａ、４５ｂの裏面側に潜ったリ−ド線５０が、係止爪４５ａ、４５ｂの裏面を押圧することにより、リ−ド線５０が固定されるのである。
また、係止爪４５ａの上側側部、および、係止爪４５ｂの下側側部におけるリ−ド線１５の通過部分には、リ−ド線１５を嵌合可能な凹部４６ａ、４６ｂがそれぞれ形成されている。凹部４６ａ、４６ｂが形成されている部分は、それぞれ、リ−ド線１５がメイン基板１０の表面側方向に向かって延びているため、側部に形成されている凹部４６ａ、４６ｂに嵌合されるのである。
【００２３】
また、図３に示すように、係止爪４５ａ、４５ｂの裏面側の先端部には、半田溜り４７ａ、４７ｂがそれぞれ形成されている。この半田溜り４７ａ、４７ｂは、図４に示すように、メイン基板１０の裏面側（図中、下側）に突出するように形成されており、これにより、リ−ド線１５が左右に移動した場合であっても、半田溜り４７ａ、４７ｂのいずれかに引っ掛かるため、リ−ド線１５の係止爪４５ａ、４５ｂからの脱落を防止することが可能となる。
【００２４】
図２に示したように、２つの係止爪４５ａ、４５ｂは、リ−ド線１５の延設方向に対して、斜め方向であり、且つ、２本のリ−ド線１５の両方が係止されるように配置されている。２本のリ−ド線１５の延設方向に対して垂直となるように係止爪が配置されていても、同係止爪を延長することにより２本のリ−ド線１５の両方を係止することができるが、図２のように斜めにリ−ド線が這うようにすることにより、係止爪を短くしつつリ−ド線を深く係止させることが可能となる。
【００２５】
（２）第二の実施形態：
図５は、第二の実施形態にかかるメイン基板におけるリ−ド線係止孔が形成されている部分の拡大平面図である。なお、図５において、第一の実施形態にて示した構成部材と同一のものについては同一の符号を付しており、その説明を省略する。同図において、それぞれ対向する縁４１ａ、４１ｂにそれぞれ互い違いに形成された係止爪４５ａ、４５ｂには、３つの凸部１４６ａ、１４７ｂがそれぞれ形成されている。この３つの凸部１４６ａ、１４７ｂは、隣接する凸部の間にリ−ド線１５が配設されるように設けられており、これにより、リ−ド線１５の位置を固定することが可能となる。なお、リ−ド線１５の係止爪４５ａ、４５ｂからの脱落を防止するだけの目的であれば、配設されたリ−ド線１５よりも係止爪の先端側にのみ凸部を形成しておくようにしてもよい。
【００２６】
（３）各種変形例：
上述した第一および第二の実施形態においては、対抗する縁に２つの係止爪が互い違いに形成されている場合について説明したが、本発明において、形成される係止爪の数については、２以上であれば特に限定されず、例えば、図６に示すように、３つの係止爪が形成されているリ−ド線係止孔であってもよい。図６では、右側の縁に係止爪１４５ａ、１４５ｃが形成されるとともに、対向する左側の縁に係止爪１４５ｂが形成されている。そして、各係止爪の延長線が交わることなく、係止爪１４５ａ、１４５ｂ、１４５ｃの順に互い違いに形成されている。
【００２７】
また、上述した第一および第二の実施形態においては、本発明のプリント配線基板を、テレビジョン受信装置が具備するメイン基板に適用する場合について説明したが、本発明においては、基板上に這わせるリ−ド線の経路上にリ−ド線係止孔が形成されるものであれば、このようなメイン基板にのみ適用されるものではない。
【００２８】
（４）まとめ：
以上、説明したように、実施形態にかかるメイン基板１０によれば、２つの係止爪４５ａ、４５ｂが、それぞれ対向する内側縁４１ａ、４１ｂに残存するように形成されたリ−ド線係止孔４０が形成され、基板面上を這うように配置されるリ−ド線１５が、この２つの係止爪４５ａ、４５ｂの裏面側に当接するように係止されることにより、リ−ド線の位置を安定させて固定させることが可能となる。
【図面の簡単な説明】
【００２９】
【図１】第一の実施形態にかかるプリント配線基板の外観平面図である。
【図２】図１に示したメイン基板におけるリ−ド線係止孔の形成部分の拡大平面図である。
【図３】図２の裏面図である。
【図４】図２、図３に示した係止爪の側面図である。
【図５】第二の実施形態にかかるメイン基板におけるリ−ド線係止孔の形成部分の拡大平面図である。
【図６】変形例にかかるリ−ド線係止孔の形成部分の拡大平面図である。
【符号の説明】
【００３０】
１０…メイン基板
１５…リ−ド線
１８…印刷部
２０…第一のサブ基板
２２、２３…テ−プ
３０…第二のサブ基板
４０…リ−ド線係止孔
４１ａ、４１ｂ…縁
４５ａ、４５ｂ…係止爪
４６ａ、４６ｂ…凹部
４７ａ、４７ｂ…半田溜り
１４６ａ、１４６ｂ…凸部
【図１】
2006332369.tif 000003
【図２】
2006332369.tif 000004
【図３】
2006332369.tif 000005
【図４】
2006332369.tif 000006
【図５】
2006332369.tif 000007
【図６】
2006332369.tif 000008